(57)【要約】      （修正有）【課題】無線インターネット接続機能を備えたストレージデバイスを提供する。【解決手段】無線インターネット接続機能を備えたストレージデバイスは、本体モジュール１０、キャップモジュール３０を備え、キャップモジュール３０と本体モジュール１０が結合すると、コンピューターは本体モジュール１０を経由して無線方式でインターネットに接続することができる。本体モジュール１０は殻体１１を備え、殻体１１内には基板１２を備える。基板１２上には第一コネクター１３、ＵＳＢコントローラー１４、ルーターチップ１５、第二コネクター１６を備える。ルーターチップ１５は第一コネクター１３、第二コネクター１６、ＵＳＢコントローラー１４にそれぞれ接続する。殻体１１はプラスチック或いは金属により製造される。ルーターチップ１５中にはさらに無線モジュールを備える。【選択図】図１
0003181066.tif 000002
【実用新案登録請求の範囲】
【請求項１】
無線インターネット接続機能を備えたストレージデバイスは本体モジュール、ネットワークコネクターを備え、前記本体モジュールは基板を備え、前記基板上には第一コネクター、ＵＳＢコントローラー、ルーターチップ、第二コネクターを備え、前記ルーターチップは前記第一コネクター、前記第二コネクター、前記ＵＳＢコントローラーにそれぞれ接続し、前記ネットワークコネクターは前記基板と相互に電気的に連接し、前記ネットワークコネクターはＬＡＮと相互に連通し、このようにして前記ネットワークコネクターにより、コンピューターは前記ＬＡＮを経由して前記ルーターチップに接続し、前記ルーターチップを経由しインターネットに接続することを特徴とする無線インターネット接続機能を備えたストレージデバイス。
【請求項２】
前記ルーターチップ中にはさらに無線モジュールを備え、前記無線モジュールはＷｉ−Ｆｉモジュールであることを特徴とする請求項１に記載の無線インターネット接続機能を備えたストレージデバイス。
【請求項３】
前記無線インターネット接続機能を備えたストレージデバイスはさらにキャップモジュールを備え、前記キャップモジュールは前記本体モジュールに蓋合し、その一端には第三コネクターを備え、反対端にはネットワークコネクターを備え、前記第三コネクターは前記第二コネクターに挿入して設置できることを特徴とする請求項１に記載の無線インターネット接続機能を備えたストレージデバイス。
【請求項４】
前記第一コネクターはＡ型オスＵＳＢコネクターで、前記第二コネクターはメスのマイクロＵＳＢコネクターで、前記第三コネクターはオスのマイクロＵＳＢコネクターであることを特徴とする請求項３に記載の無線インターネット接続機能を備えたストレージデバイス。
【請求項５】
前記基板上にはさらにメモリを備え、前記メモリは前記ルーターチップに接続し、しかも前記メモリはＤＤＲメモリであることを特徴とする請求項１に記載の無線インターネット接続機能を備えたストレージデバイス。
【請求項６】
前記ネットワークコネクターはＲＪ−４５コネクターで、さらに変圧器を備え、前記変圧器は前記ＲＪ−４５コネクターの端子に接続し、これにより前記ＲＪ−４５コネクターの信号は電位転換を行われることを特徴とする請求項１に記載の無線インターネット接続機能を備えたストレージデバイス。
【請求項７】
前記基板上にはさらにメモリスロットを備え、前記メモリスロットは前記ＵＳＢコントローラーに接続し、しかも前記本体モジュールにおいて露出することを特徴とする請求項１に記載の無線インターネット接続機能を備えたストレージデバイス。
【請求項８】
前記基板上にはさらに電池、電源回路を備え、前記電池は必要な電源を供給し、前記電源回路の一端は前記電池に接続し、反対端は前記ルーターチップに接続し、電源の電圧安定と制御を執行することを特徴とする請求項１に記載の無線インターネット接続機能を備えたストレージデバイス。
【請求項９】
前記基板上にはさらに静電保護装置を備え、その一端は前記電源回路に接続し、反対端は前記第一コネクターに接続し、静電保護を執行できることを特徴とする請求項８に記載の無線インターネット接続機能を備えたストレージデバイス。
【考案の詳細な説明】
【技術分野】
【０００１】
本考案はストレージデバイスに係わり、特に無線インターネット接続機能を備えたストレージデバイスに関する。
【背景技術】
【０００２】
フラッシュメモリストレージデバイス(ポータブルディスクと俗称)は、携帯に便利で容量が大きく、価格が安いなどの長所があるため幅広い人気を集めている。
【０００３】
しかし従来のフラッシュメモリストレージデバイスは、データの保存ができるだけで無線インターネット接続機能を提供することはできない。
【０００４】
市場には個人用の無線ミニルーターが存在する。該無線ミニルーターがあれば、有線ＬＡＮポートがない環境でもパソコン或いは携帯電話は、無線インターネットに接続することができる。しかし、該ミニ無線ルーターは無線インターネット接続機能しか提供できないにもかかわらず、その体積は大きくしかもメモリカードを挿入してデータを保存することもできないため理想的とはいえない。
【０００５】
本考案は従来のストレージデバイスとミニ無線ルーターの上記した欠点に鑑みてなされたものである。
【考案の概要】
【考案が解決しようとする課題】
【０００６】
本考案が解決しようとする第一の課題はルーターチップを備え、無線インターネット接続機能を提供することができる無線インターネット接続機能を備えたストレージデバイスを提供することである。
本考案が解決しようとする第二の課題は、メモリスロットを備えメモリカードを挿入して接続でき、データ保存の機能を提供できる無線インターネット接続機能を備えたストレージデバイスを提供することである。
【課題を解決するための手段】
【０００７】
上記課題を解決するため本考案は下記の無線インターネット接続機能を備えたストレージデバイスを提供する。
無線インターネット接続機能を備えたストレージデバイスは本体モジュール、キャップモジュール、ネットワークコネクターを備え、該本体モジュールは基板を備え、該基板上には第一コネクター、ＵＳＢコントローラー、ルーターチップ、第二コネクターを備え、該ルーターチップは該第一コネクター、該第二コネクター、該ＵＳＢコントローラーにそれぞれ接続し、該キャップモジュールは該本体モジュールに蓋合しその一端には第三コネクターを備え、反対端にはネットワークコネクターを備え、該第三コネクターは該第二コネクターに挿入して設置でき該ネットワークコネクターはＬＡＮと相互に連通し、該キャップモジュールと該本体モジュールとが結合すると、コンピューターはＬＡＮを経由して該ルーターチップに接続し、該無線モジュールを経由してインターネットに接続することができる。
【考案の効果】
【０００８】
本考案の無線インターネット接続機能を備えたストレージデバイスは、ルーターチップを備え無線インターネット接続機能を提供することができ、さらにメモリスロットを備えメモリカードを挿入して接続できデータ保存の機能を提供することができる。
【図面の簡単な説明】
【０００９】
【図１】本考案実施例無線インターネット接続機能を備えたストレージデバイスの分解模式図である。
【図２】本考案実施例の回転モジュールのブロック図である。
【図３】本考案実施例の本体モジュールとコンピューターシステムが接続する様子を示す模式図である。
【図４】本考案実施例の本体モジュール中にメモリカードを挿入して接続する様子を示す模式図である。
【図５】本考案実施例の本体モジュールが、キャップモジュールと結合して、無線インターネットルーターとして使用される様子を示す模式図である。
【図６】本考案実施例の本体モジュールが、キャップモジュールと結合する様子を示す別種の模式図である。
【考案を実施するための形態】
【００１０】
以下に図面を参照しながら本考案を実施するための最良の形態について詳細に説明する。図１は本考案実施例無線インターネット接続機能を備えたストレージデバイスの分解模式図で、図２は本考案実施例の回転モジュールのブロック図である。
【実施例１】
【００１１】
図１、２に示すように無線インターネット接続機能を備えたストレージデバイスは、本体モジュール１０、キャップモジュール３０により構成される。
【００１２】
本体モジュール１０は殻体１１を備える。殻体１１内には基板１２を備える。基板１２上には第一コネクター１３、ＵＳＢコントローラー１４、ルーターチップ１５、第二コネクター１６を備える。ルーターチップ１５は第一コネクター１３、第二コネクター１６、ＵＳＢコントローラー１４にそれぞれ接続する。殻体１１はプラスチック或いは金属により製造される。本実施例中ではプラスチックを例として説明するが、これに限定するものではない。ルーターチップ１５中にはさらに無線モジュール(図示なし)を備える。無線モジュールはＷｉ−Ｆｉモジュールなどであるが、これに限定するものではない。
【００１３】
第一コネクター１３はＡ型(ＴｙｐｅＡ)オスＵＳＢコネクターなどであるが、これに限定するものではない。第二コネクター１６はメスのマイクロＵＳＢコネクターなどであるが、これに限定するものではない。
【００１４】
キャップモジュール３０は本体モジュール１０に蓋合し、その一端には第三コネクター３１を備え、反対端にはネットワークコネクター３２を備える。第三コネクター３１はオスのマイクロＵＳＢコネクターなどであるが、これに限定するものではなく、第二コネクター１６に挿入することができる。ネットワークコネクター３２はＲＪ−４５コネクターなどであるが、これに限定するものではなく、ＬＡＮに接続することができる。ＬＡＮはＥｔｈｅｒｎｅｔ（登録商標）ネットワークなどであるが、これに限定するものではない。ネットワークコネクター３２はさらに変圧器３３を備える。変圧器３３はＲＪ−４５コネクター３２の端子に接続する。これによりＲＪ−４５コネクター３２の実体層信号は電位転換を行う。
【００１５】
基板１２上にはさらにメモリスロット１７を備え、メモリカード４０を挿入して設置することができる。メモリスロット１７はＵＳＢコントローラー１４に接続し、本体モジュール１０の殻体１１から露出する。
【００１６】
基板１２上にはさらに電池１８、電源回路１９、静電保護装置２０を備える。
【００１７】
電池１８はリチウムイオン電池などであるが、これに限定するものではなく、本考案無線インターネット接続機能を備えたストレージデバイスが必要な電源を供給する。
【００１８】
電源回路１９の一端は電池１８に接続し、反対端はルーターチップ１５に接続し電源の電圧安定と制御を執行することができる。
【００１９】
静電保護装置(ＥＳＤ)２０の一端は、電源回路１９に接続し反対端は第一コネクター１３に接続し静電保護を執行することができる。これにより電源回路１９或いはルーターチップ１５が静電気により損壊する事態の発生を防止することができる。
【００２０】
基板１２上にはさらにメモリ２１を備えルーターチップ１５に接続し、ルーターのルートデータ(これに限定しない)などのデータ保存を提供することができる。メモリ２１はＤＤＲメモリなどであるが、これに限定するものではない。
【００２１】
本考案実施例の本体モジュールとコンピューターシステムが接続する様子を示す模式図である図３に示すように、本考案の本体モジュール１０は使用時に第一コネクター１３を通して、コンピューターシステム５０のＵＳＢポート５１と接続する。これによりコンピューターシステム５０は本考案の本体モジュール１０中のルーターチップ１５を経由してインターネットに接続し、無線ルーターとしての使用目的を達成することができる。
【００２２】
本考案実施例の本体モジュール中にメモリカードを挿入して接続する様子を示す模式図である図４に示すように、本考案の本体モジュール１０は使用時に第一コネクター１３を通してコンピューターシステム５０のＵＳＢポート５１と接続する。しかも本体モジュール１０のメモリスロット１７中には、メモリカード４０を挿入して接続することができる。これによりコンピューターシステム５０は本考案の本体モジュール１０を通して、メモリカード４０中のデータにアクセスしてストレージデバイスとしての使用目的を達成することができる。
【００２３】
本考案実施例の本体モジュールが、キャップモジュールと結合して無線インターネットルーターとして使用される様子を示す模式図である図５に示すように、本考案の本体モジュール１０は使用時に第二コネクター１６及び第三コネクター３１の相互結合を通して、さらにＲＪ−４５インターネットケーブル６０によりイーサネット（登録商標）ポート(図示なし)と接続する。こうしてルーターチップ１５により本考案の本体モジュール１０は無線ルーターとしての使用の目的を達成することができる。
【００２４】
本考案実施例の本体モジュールがキャップモジュールと結合する様子を示す別種の模式図である図６に示すように本考案の本体モジュール１０は使用時に、キャップモジュール３０を第一コネクター１３の外側に蓋合することができる。キャップモジュール３０の外縁の長さは第三コネクター３１と第一コネクター１３を加えた高さより大きいため、第三コネクター３１は第一コネクター１３に直接接触することはない。これによりキャップモジュール３０は本体モジュール１０の保護キャップとしての使用目的を達成することができる。
【００２５】
上記したように、本考案無線インターネット接続機能を備えたストレージデバイスの実施により、以下の２点の長所が達成される。
1.  ルーターチップを装備しているため、無線ネットワーク接続機能を提供することができる。
2.  メモリスロットを装備しているため、メモリカードを挿入して接続できデータ保存機能を提供することができる。
よって、本考案無線インターネット接続機能を備えたストレージデバイスは、従来のフラッシュメモリストレージデバイスとミニ無線ルーターの欠点を確実に改善することができる。
【００２６】
上記の本考案名称と内容は、本考案技術内容の説明に用いたのみで本考案を限定するものではない。本考案の精神に基づく等価応用或いは部品（構造）の転換、置換、数量の増減はすべて本考案の保護範囲に含むものとする。
【産業上の利用可能性】
【００２７】
本考案は実用新案登録の要件である新規性を備え、従来の同類製品に比べ十分な進歩を有し実用性が高く、社会のニーズに合致しており産業上の利用価値は非常に大きい。
【符号の説明】
【００２８】
１０  本体モジュール
１１  殻体
１２  基板
１３  第一コネクター
１４  ＵＳＢコントローラー
１５  ルーターチップ
１６  第二コネクター
１７  メモリスロット
１８  電池
１９  電源回路
２０  静電保護装置
２１  メモリ
３０  キャップモジュール
３１  第三コネクター
３２  ネットワークコネクター
３３  変圧器
４０  メモリカード
５０  コンピューターシステム
５１  ＵＳＢポート
６０  ＲＪ−４５インターネットケーブル
【図１】
0003181066.tif 000003
【図２】
0003181066.tif 000004
【図３】
0003181066.tif 000005
【図４】
0003181066.tif 000006
【図５】
0003181066.tif 000007
【図６】
0003181066.tif 000008